(57)【要約】【課題】本発明は、通信用デバイスに送信するベースバンド信号のデータレートが、通信用デバイスのサンプリングレート内であるか否かを事前に判定可能にすることを目的とする。【解決手段】上記目的を達成するために、本願発明の移動体通信用デバイス試験システムは、基地局との間でＲＦ信号を送受する移動体通信機器に用いられかつベースバンド信号で変調したＲＦ信号を生成する通信用デバイス１の試験を行う移動体通信用デバイス試験システムであって、通信用デバイス１に送信する送信フレームに含まれるベースバンド信号のデータレートが、通信用デバイス１のサンプリングレート内であるか否かを事前に判定することができるフレーム送信時間算出部１３ａ、フレーム受信時間算出部１４ａ及び時間比較部１５ａを備えることを特徴とする。【選択図】図１
2010239252.tif 000002
【特許請求の範囲】
【請求項１】
基地局との間でＲＦ（Ｒａｄｉｏ  Ｆｒｅｑｕｅｎｃｙ）信号を送受する移動体通信機器に用いられかつベースバンド信号で変調したＲＦ信号を生成する通信用デバイス（１）の試験を行う移動体通信用デバイス試験システム（３０ａ）であって、
前記ベースバンド信号の含まれている送信フレームを前記通信用デバイスに送信し、前記通信用デバイスの生成するＲＦ信号を受信して、前記通信用デバイスの試験を実行する試験実行部（２３）と、
前記試験実行部が送信する前記送信フレームに含まれる前記ベースバンド信号のデータ量を取得し、前記データ量を用いて前記送信フレーム全体での総データ量を算出し、前記総データ量及び前記試験実行部からの前記送信フレームの送信データレートを用いて、前記試験実行部が前記送信フレームを送信する時間をフレーム送信時間として算出するフレーム送信時間算出部（１３ａ）と、
前記試験実行部が送信する前記送信フレームに含まれる前記ベースバンド信号のデータ量及び前記通信用デバイスの受信する前記ベースバンド信号のサンプリングレートを取得し、前記データ量及び前記サンプリングレートを用いて、前記通信用デバイスが前記ベースバンド信号を受信する前記送信フレームあたりの時間をフレーム受信時間として算出するフレーム受信時間算出部（１４ａ）と、
前記フレーム送信時間が前記フレーム受信時間以内であるか否かを判定する時間比較部（１５ａ）と、を備えることを特徴とする移動体通信用デバイス試験システム。
【請求項２】
前記時間比較部の判定結果を表示する時間表示部（１６ａ）をさらに備え、
前記時間比較部は、前記フレーム送信時間と前記フレーム受信時間との比を算出し、
前記時間表示部は、前記時間比較部の算出する前記比を表示することを特徴とする請求項１に記載の移動体通信用デバイス試験システム。
【請求項３】
前記時間表示部は、前記時間比較部の算出する前記比をグラフで表示することを特徴とする請求項２に記載の移動体通信用デバイス試験システム。
【請求項４】
基地局との間でＲＦ（Ｒａｄｉｏ  Ｆｒｅｑｕｅｎｃｙ）信号を送受する移動体通信機器に用いられかつベースバンド信号で変調したＲＦ信号を生成する通信用デバイス（１）の試験を行う移動体通信用デバイス試験システム（３０ｂ）であって、
前記ベースバンド信号の含まれている送信フレームを前記通信用デバイスに送信し、前記通信用デバイスの生成するＲＦ信号を受信して、前記通信用デバイスの試験を実行する試験実行部（２３）と、
前記試験実行部が送信する前記送信フレームに含まれる前記ベースバンド信号のデータ量を取得し、前記データ量を用いて前記送信フレーム全体での総データ量を算出し、前記総データ量及び前記試験実行部からの前記送信フレームの送信データレートを用いて、前記試験実行部が前記送信フレームを送信する単位時間当たりの前記送信フレームの数を送信フレーム数として算出する送信フレーム数算出部（１３ｂ）と、
前記試験実行部が送信する前記送信フレームに含まれる前記ベースバンド信号のデータ量及び前記通信用デバイスの受信する前記ベースバンド信号のサンプリングレートを取得し、前記データ量及び前記サンプリングレートを用いて、前記通信用デバイスが前記ベースバンド信号を受信する単位時間当たりの前記送信フレームの数を受信フレーム数として算出する受信フレーム数算出部（１４ｂ）と、
前記送信フレーム数が前記受信フレーム数以上であるか否かを判定するフレーム数比較部（１５ｂ）と、を備えることを特徴とする移動体通信用デバイス試験システム。
【請求項５】
前記フレーム数比較部の判定結果を表示するフレーム数表示部（１６ｂ）をさらに備え、
前記フレーム数比較部は、前記送信フレーム数と前記受信フレーム数との比を算出し、
前記フレーム数表示部は、前記フレーム数比較部の算出する前記比を表示することを特徴とする請求項４に記載の移動体通信用デバイス試験システム。
【請求項６】
前記フレーム数表示部は、前記フレーム数比較部の算出する前記比をグラフで表示することを特徴とする請求項５に記載の移動体通信用デバイス試験システム。
【請求項７】
基地局との間でＲＦ（Ｒａｄｉｏ  Ｆｒｅｑｕｅｎｃｙ）信号を送受する移動体通信機器に用いられかつベースバンド信号で変調したＲＦ信号を生成する通信用デバイス（１）の試験を行う移動体通信用デバイス試験方法であって、
前記ベースバンド信号の含まれている送信フレームを前記通信用デバイスに送信し、前記通信用デバイスの生成するＲＦ信号を受信して、前記通信用デバイスの試験を実行する試験実行手順（Ｓ１０７）と、
前記試験実行手順の前に、
前記試験実行手順で送信する前記送信フレームに含まれる前記ベースバンド信号のデータ量を取得し、前記データ量を用いて前記送信フレーム全体での総データ量を算出し、前記総データ量及び前記試験実行手順での前記送信フレームの送信データレートを用いて、前記試験実行手順で前記送信フレームを送信する時間をフレーム送信時間として算出するとともに、
前記試験実行手順で送信する前記送信フレームに含まれる前記ベースバンド信号のデータ量及び前記通信用デバイスの受信する前記ベースバンド信号のサンプリングレートを取得し、前記データ量及び前記サンプリングレートを用いて、前記通信用デバイスが前記ベースバンド信号を受信する前記送信フレームあたりの時間をフレーム受信時間として算出し、
前記フレーム送信時間が前記フレーム受信時間以内であるか否かを判定する時間比較手順（Ｓ１０２、Ｓ１０３）と、を有することを特徴とする移動体通信用デバイス試験方法。
【請求項８】
前記時間比較手順での判定結果を表示する時間表示手順（Ｓ１０４）を、前記時間比較手順の後にさらに有し、
前記時間比較手順において、前記フレーム送信時間と前記フレーム受信時間との比を算出し、
前記時間表示手順において、前記時間比較手順で算出した前記比を表示することを特徴とする請求項７に記載の移動体通信用デバイス試験方法。
【請求項９】
前記時間表示手順において、前記時間比較手順で算出した前記比をグラフで表示することを特徴とする請求項８に記載の移動体通信用デバイス試験方法。
【請求項１０】
基地局との間でＲＦ（Ｒａｄｉｏ  Ｆｒｅｑｕｅｎｃｙ）信号を送受する移動体通信機器に用いられかつベースバンド信号で変調したＲＦ信号を生成する通信用デバイス（１）の試験を行う移動体通信用デバイス試験方法であって、
前記ベースバンド信号の含まれている送信フレームを前記通信用デバイスに送信し、前記通信用デバイスの生成するＲＦ信号を受信して、前記通信用デバイスの試験を実行する試験実行手順（Ｓ１０７）と、
前記試験実行手順の前に、
前記試験実行手順で送信する前記送信フレームに含まれる前記ベースバンド信号のデータ量を取得し、前記データ量を用いて前記送信フレーム全体での総データ量を算出し、前記総データ量及び前記試験実行手順での前記送信フレームの送信データレートを用いて、前記試験実行手順で前記送信フレームを送信する単位時間当たりの前記送信フレームの数を送信フレーム数として算出するとともに、
前記試験実行手順で送信する前記送信フレームに含まれる前記ベースバンド信号のデータ量及び前記通信用デバイスの受信する前記ベースバンド信号のサンプリングレートを取得し、前記データ量及び前記サンプリングレートを用いて、前記通信用デバイスが前記ベースバンド信号を受信する単位時間当たりの前記送信フレームの数を受信フレーム数として算出し、
前記送信フレーム数が前記受信フレーム数以上であるか否かを判定するフレーム数比較手順（Ｓ１１２、Ｓ１１３）と、を有することを特徴とする移動体通信用デバイス試験方法。
【請求項１１】
前記フレーム数比較手順での判定結果を表示するフレーム数表示手順（Ｓ１１４）を、前記フレーム数比較手順の後にさらに有し、
前記フレーム数比較手順において、前記送信フレーム数と前記受信フレーム数との比を算出し、
前記フレーム数表示手順において、前記フレーム数比較手順で算出した前記比を表示することを特徴とする請求項１０に記載の移動体通信用デバイス試験方法。
【請求項１２】
前記フレーム数表示手順において、前記フレーム数比較手順で算出した前記比をグラフで表示することを特徴とする請求項１１に記載の移動体通信用デバイス試験方法。
【発明の詳細な説明】
【技術分野】
【０００１】
本発明は、移動体通信用デバイス試験システム及び試験方法に関し、特に、ＬＴＥ（Ｌｏｎｇ  Ｔｅｒｍ  Ｅｖｏｌｕｔｉｏｎ）に準拠するＲＦＩＣ（Ｒａｄｉｏ  Ｆｒｅｑｕｅｎｃｙ  Ｉｎｔｅｇｒａｔｅｄ  Ｃｉｒｃｕｉｔ）の試験を行うための移動体通信用デバイス試験システム及びその試験方法に関する。
【背景技術】
【０００２】
移動体通信機器に用いられるデバイスを試験するために、移動体端末用デバイス試験システムが提案されている（例えば、特許文献１参照。）。従来は、通信用デバイスとの間で信号を送受信することで、通信用デバイスにＲＦ（Ｒａｄｉｏ  Ｆｒｅｑｕｅｎｃｙ）信号及びベースバンド信号を生成させ、通信用デバイスから出力されるＲＦ信号及びベースバンド信号を解析することで試験を行っていた。
【先行技術文献】
【特許文献】
【０００３】
【特許文献１】特開２００８−１７１３１号公報
【発明の概要】
【発明が解決しようとする課題】
【０００４】
従来は、ベースバンド信号のサンプリングレートや設定パラメータを固定して通信用デバイスの試験を行っていた。そのため、ＲＦＩＣにベースバンド信号を送信する際に、ＲＦＩＣの受信するサンプリングレート内でベースバンド信号が送信できているか否かを事前に判定したいという要求がなかった。
【０００５】
ここで、次世代の移動体通信方式として、ＬＴＥと呼ばれる通信規格が提唱されている。そして、一般に、ＬＴＥに準拠した移動体通信機器に用いられる通信用デバイスは、ＲＦＩＣとＢＢＩＣ（Ｂａｓｅｂａｎｄ  Ｉｎｔｅｇｒａｔｅｄ  Ｃｉｒｃｕｉｔ）とで構成される。ＲＦＩＣは、ベースバンド信号を受けて、このベースバンド信号により搬送波を変調し、基地局と通信するためのＲＦ信号として送出するとともに、基地局からのＲＦ信号を受けて、ベースバンド信号を復調して送出する機能を有している。また、ＢＢＩＣは、送信すべきデータをベースバンド信号としてＲＦＩＣに送出し、ＲＦＩＣから受けたベースバンド信号を受信データとして処理する機能を有している。
【０００６】
このようなＲＦＩＣとＢＢＩＣとの間の通信Ｉ／Ｆを標準化する動きがあり、その標準化された規格は、ＤｉｇＲＦと称呼されている。そして、ＬＴＥに対応したバージョンとして、ＤｉｇＲＦ  Ｖｅｒ．４規格が制定されつつある。
【０００７】
ところで、ＤｉｇＲＦ  Ｖｅｒ．４においては、データレート等のパラメータが可変となっている。そして、パラメータの設定によっては、例えばＢＢＩＣからＲＦＩＣにベースバンド信号のデータを送信する際、ＲＦＩＣが受信すべきデータを必要な時間内に受信しきれない（ＢＢＩＣが送信すべきデータを必要な時間内に送信しきれない）という状況が発生する可能性がある。
【０００８】
このため、移動体通信システム用デバイス試験システムのユーザが、ＲＦＩＣの動作を試験する際、このような状況に気付かずに試験を行なった場合、適切な試験を行なうことができないおそれがあった。
【０００９】
そこで、本発明は、ＲＦＩＣとして用いられる通信用デバイスの試験を行う移動体通信用デバイス試験システム又は移動体通信用デバイス試験方法において、通信用デバイスに送信するベースバンド信号のデータレートが、通信用デバイスの受信するベースバンド信号のサンプリングレート内であるか否かを事前に判定可能にすることを目的とする。
【課題を解決するための手段】
【００１０】
上記目的を達成するために、本願発明の移動体通信用デバイス試験システムは、基地局との間でＲＦ信号を送受する移動体通信機器に用いられかつベースバンド信号で変調したＲＦ信号を生成する通信用デバイス（１）の試験を行う移動体通信用デバイス試験システム（３０ａ）であって、前記ベースバンド信号の含まれている送信フレームを前記通信用デバイスに送信し、前記通信用デバイスの生成するＲＦ信号を受信して、前記通信用デバイスの試験を実行する試験実行部（２３）と、前記試験実行部が送信する前記送信フレームに含まれる前記ベースバンド信号のデータ量を取得し、前記データ量を用いて前記送信フレーム全体での総データ量を算出し、前記総データ量及び前記試験実行部からの前記送信フレームの送信データレートを用いて、前記試験実行部が前記送信フレームを送信する時間をフレーム送信時間として算出するフレーム送信時間算出部（１３ａ）と、前記試験実行部が送信する前記送信フレームに含まれる前記ベースバンド信号のデータ量及び前記通信用デバイスの受信する前記ベースバンド信号のサンプリングレートを取得し、前記データ量及び前記サンプリングレートを用いて、前記通信用デバイスが前記ベースバンド信号を受信する前記送信フレームあたりの時間をフレーム受信時間として算出するフレーム受信時間算出部（１４ａ）と、前記フレーム送信時間が前記フレーム受信時間以内であるか否かを判定する時間比較部（１５ａ）と、を備えることを特徴とする。
【００１１】
本発明に係る移動体通信用デバイス試験システムは、フレーム送信時間算出部、フレーム受信時間算出部及び時間比較部を備えるので、フレーム送信時間がフレーム受信時間以内であるか否かを判定することができる。これにより、送信フレームに含まれるベースバンド信号のデータレートが、通信用デバイスの受信するベースバンド信号のサンプリングレート内であるか否かを事前に判定することができる。
【００１２】
本願発明の移動体通信用デバイス試験システムでは、前記時間比較部の判定結果を表示する時間表示部（１６ａ）をさらに備え、前記時間比較部は、前記フレーム送信時間と前記フレーム受信時間との比を算出し、前記時間表示部は、前記時間比較部の算出する前記比を表示することが好ましい。
本発明により、フレーム送信時間がフレーム受信時間以内であるか否かを明確に表示することができる。これにより、移動体通信用デバイス試験システムのユーザは、送信フレームに含まれるベースバンド信号のデータレートにどの程度の問題があるのか、また、通信用デバイスの受信するベースバンド信号のサンプリングレートまでにどの程度の余裕があるのかを迅速に判断することができる。
【００１３】
本願発明の移動体通信用デバイス試験システムでは、前記時間表示部は、前記時間比較部の算出する前記比をグラフで表示することが好ましい。
本発明により、移動体通信用デバイス試験システムのユーザは、送信フレームに含まれるベースバンド信号のデータレートと通信用デバイスの受信するベースバンド信号のサンプリングレートと比を直感的に視認することができる。
【００１４】
上記目的を達成するために、本願発明の移動体通信用デバイス試験システムは、基地局との間でＲＦ信号を送受する移動体通信機器に用いられかつベースバンド信号で変調したＲＦ信号を生成する通信用デバイス（１）の試験を行う移動体通信用デバイス試験システム（３０ｂ）であって、前記ベースバンド信号の含まれている送信フレームを前記通信用デバイスに送信し、前記通信用デバイスの生成するＲＦ信号を受信して、前記通信用デバイスの試験を実行する試験実行部（２３）と、前記試験実行部が送信する前記送信フレームに含まれる前記ベースバンド信号のデータ量を取得し、前記データ量を用いて前記送信フレーム全体での総データ量を算出し、前記総データ量及び前記試験実行部からの前記送信フレームの送信データレートを用いて、前記試験実行部が前記送信フレームを送信する単位時間当たりの前記送信フレームの数を送信フレーム数として算出する送信フレーム数算出部（１３ｂ）と、前記試験実行部が送信する前記送信フレームに含まれる前記ベースバンド信号のデータ量及び前記通信用デバイスの受信する前記ベースバンド信号のサンプリングレートを取得し、前記データ量及び前記サンプリングレートを用いて、前記通信用デバイスが前記ベースバンド信号を受信する単位時間当たりの前記送信フレームの数を受信フレーム数として算出する受信フレーム数算出部（１４ｂ）と、前記送信フレーム数が前記受信フレーム数以上であるか否かを判定するフレーム数比較部（１５ｂ）と、を備えることを特徴とする。
【００１５】
本発明に係る移動体通信用デバイス試験システムは、送信フレーム数算出部、受信フレーム数算出部及びフレーム数比較部を備えるので、送信フレーム数が受信フレーム数以上であるか否かを判定することができる。これにより、送信フレームに含まれるベースバンド信号のデータレートが、通信用デバイスの受信するベースバンド信号のサンプリングレート内であるか否かを事前に判定することができる。
【００１６】
本願発明の移動体通信用デバイス試験システムでは、前記フレーム数比較部の判定結果を表示するフレーム数表示部（１６ｂ）をさらに備え、前記フレーム数比較部は、前記送信フレーム数と前記受信フレーム数との比を算出し、前記フレーム数表示部は、前記フレーム数比較部の算出する前記比を表示することが好ましい。
本発明により、送信フレーム数が受信フレーム数以上であるか否かを明確に表示することができる。これにより、移動体通信用デバイス試験システムのユーザは、送信フレームに含まれるベースバンド信号のデータレートにどの程度の問題があるのか、また、通信用デバイスの受信するベースバンド信号のサンプリングレートまでにどの程度の余裕があるのかを迅速に判断することができる。
【００１７】
本願発明の移動体通信用デバイス試験システムでは、前記フレーム数表示部は、前記フレーム数比較部の算出する前記比をグラフで表示することが好ましい。
本発明により、移動体通信用デバイス試験システムのユーザは、送信フレームに含まれるベースバンド信号のデータレートと通信用デバイスの受信するベースバンド信号のサンプリングレートと比を直感的に視認することができる。
【００１８】
上記目的を達成するために、本願発明の移動体通信用デバイス試験方法は、基地局との間でＲＦ信号を送受する移動体通信機器に用いられかつベースバンド信号で変調したＲＦ信号を生成する通信用デバイス（１）の試験を行う移動体通信用デバイス試験方法であって、前記ベースバンド信号の含まれている送信フレームを前記通信用デバイスに送信し、前記通信用デバイスの生成するＲＦ信号を受信して、前記通信用デバイスの試験を実行する試験実行手順（Ｓ１０７）と、前記試験実行手順の前に、前記試験実行手順で送信する前記送信フレームに含まれる前記ベースバンド信号のデータ量を取得し、前記データ量を用いて前記送信フレーム全体での総データ量を算出し、前記総データ量及び前記試験実行手順での前記送信フレームの送信データレートを用いて、前記試験実行手順で前記送信フレームを送信する時間をフレーム送信時間として算出するとともに、前記試験実行手順で送信する前記送信フレームに含まれる前記ベースバンド信号のデータ量及び前記通信用デバイスの受信する前記ベースバンド信号のサンプリングレートを取得し、前記データ量及び前記サンプリングレートを用いて、前記通信用デバイスが前記ベースバンド信号を受信する前記送信フレームあたりの時間をフレーム受信時間として算出し、前記フレーム送信時間が前記フレーム受信時間以内であるか否かを判定する時間比較手順（Ｓ１０２、Ｓ１０３）と、を有することを特徴とする。
【００１９】
本発明に係る移動体通信用デバイス試験方法は、時間比較手順を試験実行手順の前に有するので、フレーム送信時間がフレーム受信時間以内であるか否かを判定することができる。これにより、送信フレームに含まれるベースバンド信号のデータレートが、通信用デバイスの受信するベースバンド信号のサンプリングレート内であるか否かを事前に判定することができる。
【００２０】
本願発明の移動体通信用デバイス試験方法では、前記時間比較手順での判定結果を表示する時間表示手順（Ｓ１０４）を、前記時間比較手順の後にさらに有し、前記時間比較手順において、前記フレーム送信時間と前記フレーム受信時間との比を算出し、前記時間表示手順において、前記時間比較手順で算出し前記比を表示することが好ましい。
本発明により、フレーム送信時間がフレーム受信時間以内であるか否かを明確に表示することができる。これにより、移動体通信用デバイス試験方法のユーザは、送信フレームに含まれるベースバンド信号のデータレートにどの程度の問題があるのか、また、通信用デバイスの受信するベースバンド信号のサンプリングレートまでにどの程度の余裕があるのかを迅速に判断することができる。
【００２１】
本願発明の移動体通信用デバイス試験方法では、前記時間表示手順において、前記時間比較手順で算出した前記比をグラフで表示することが好ましい。
本発明により、移動体通信用デバイス試験方法のユーザは、送信フレームに含まれるベースバンド信号のデータレートと通信用デバイスの受信するベースバンド信号のサンプリングレートの比を直感的に視認することができる。
【００２２】
上記目的を達成するために、本願発明の移動体通信用デバイス試験方法は、基地局との間でＲＦ信号を送受する移動体通信機器に用いられかつベースバンド信号で変調したＲＦ信号を生成する通信用デバイス（１）の試験を行う移動体通信用デバイス試験方法であって、前記ベースバンド信号の含まれている送信フレームを前記通信用デバイスに送信し、前記通信用デバイスの生成するＲＦ信号を受信して、前記通信用デバイスの試験を実行する試験実行手順（Ｓ１０７）と、前記試験実行手順の前に、前記試験実行手順で送信する前記送信フレームに含まれる前記ベースバンド信号のデータ量を取得し、前記データ量を用いて前記送信フレーム全体での総データ量を算出し、前記総データ量及び前記試験実行手順での前記送信フレームの送信データレートを用いて、前記試験実行手順で前記送信フレームを送信する単位時間当たりの前記送信フレームの数を送信フレーム数として算出するとともに、前記試験実行手順で送信する前記送信フレームに含まれる前記ベースバンド信号のデータ量及び前記通信用デバイスの受信する前記ベースバンド信号のサンプリングレートを取得し、前記データ量及び前記サンプリングレートを用いて、前記通信用デバイスが前記ベースバンド信号を受信する単位時間当たりの前記送信フレームの数を受信フレーム数として算出し、前記送信フレーム数が前記受信フレーム数以上であるか否かを判定するフレーム数比較手順（Ｓ１１２、Ｓ１１３）と、を有することを特徴とする。
【００２３】
本発明に係る移動体通信用デバイス試験方法は、フレーム数比較手順を試験実行手順の前に有するので、送信フレーム数が受信フレーム数以上であるか否かを判定することができる。これにより、送信フレームに含まれるベースバンド信号のデータレートが、通信用デバイスの受信するベースバンド信号のサンプリングレート内であるか否かを事前に判定することができる。
【００２４】
本願発明の移動体通信用デバイス試験方法では、前記フレーム数比較手順での判定結果を表示するフレーム数表示手順（Ｓ１１４）を、前記フレーム数比較手順の後にさらに有し、前記フレーム数比較手順において、前記送信フレーム数と前記受信フレーム数との比を算出し、前記フレーム数表示手順において、前記フレーム数比較手順で算出した前記比を表示することが好ましい。
本発明により、送信フレーム数が受信フレーム数以上であるか否かを明確に表示することができる。これにより、移動体通信用デバイス試験方法のユーザは、送信フレームに含まれるベースバンド信号のデータレートにどの程度の問題があるのか、また、通信用デバイスの受信するベースバンド信号のサンプリングレートまでにどの程度の余裕があるのかを迅速に判断することができる。
【００２５】
本願発明の移動体通信用デバイス試験方法では、前記フレーム数表示手順において、前記フレーム数比較手順で算出した前記比をグラフで表示することが好ましい。
本発明により、移動体通信用デバイス試験方法のユーザは、送信フレームに含まれるベースバンド信号のデータレートと通信用デバイスの受信するベースバンド信号のサンプリングレートと比を直感的に視認することができる。
【００２６】
なお、上記各発明は、可能な限り組み合わせることができる。
【発明の効果】
【００２７】
本発明によれば、ＲＦＩＣとして用いられる通信用デバイスの試験を行う移動体通信用デバイス試験システム又は移動体通信用デバイス試験方法において、通信用デバイスに送信するベースバンド信号のデータレートが、通信用デバイスの受信するベースバンド信号のサンプリングレート内であるか否かを事前に判定することができる。これにより、ユーザが作成したベースバンド信号のデータに問題がないかを視覚的に確認できる。
【図面の簡単な説明】
【００２８】
【図１】実施形態１に係る移動体通信用デバイス試験システムの概略構成図である。
【図２】送信フレームの第１の構成例である。
【図３】送信フレームの第２の構成例である。
【図４】時間表示部での表示例であり、（ａ）は送信フレームの第１の構成例の場合を示し、（ｂ）は送信フレームの第２の構成例の場合を示す。
【図５】実施形態１に係る移動体通信用デバイス試験方法の一例を示すフローチャートである。
【図６】送信フレームのパラメータ設定値の一例を示す。
【図７】送信フレームの構成例であり、（ａ）は高速モードでのシングルフレーム構成を示し、（ｂ）は高速モードでのマルチフレーム構成を示し、（ｃ）は低速モードでのシングルフレーム構成を示し、（ｄ）は低速モードでのマルチフレーム構成を示す。
【図８】実施形態２に係る移動体通信用デバイス試験システムの概略構成図である。
【図９】実施形態２に係る移動体通信用デバイス試験方法の一例を示すフローチャートである。
【発明を実施するための形態】
【００２９】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００３０】
（実施形態１）
図１は、本実施形態に係る移動体通信用デバイス試験システムの概略構成図である。本実施形態に係る移動体通信用デバイス試験システム３０ａは、シーケンス作成装置１０ａと、試験装置２０を備え、通信用デバイス１の試験を行う。
【００３１】
通信用デバイス１は、基地局との間でＲＦ信号を送受する移動体通信機器に用いられる。移動体通信機器は、例えば携帯電話である。移動体通信機器は、基地局との間でＲＦ信号を送受するために、同相成分及び直交成分を有するベースバンド信号を生成するＢＢＩＣと、ＢＢＩＣとの間でベースバンド信号の送受を行い、ベースバンド信号で変調したＲＦ信号を生成するＲＦＩＣを備える。通信用デバイス１は、ＲＦＩＣに相当し、基地局との間でＲＦ信号を送受する。
【００３２】
シーケンス作成装置１０ａは、操作部１１と、シーケンス作成部１２と、フレーム送信時間算出部１３ａと、フレーム受信時間算出部１４ａと、時間比較部１５ａと、時間表示部１６ａと、を備え、通信用デバイス１に対して行う試験シーケンスを作成する。シーケンス作成装置１０ａと試験装置２０は、独立したコンピュータであってもよいし、一体となっていてもよい。
【００３３】
試験装置２０は、ＩＱデータ記憶部２１と、シーケンス記憶部２２と、試験実行部２３と、を備え、シーケンス作成装置１０ａの作成した試験シーケンスを実行する。試験装置２０は、ＲＯＭ、ＲＡＭ、ＣＰＵ、ＨＤＤ、インタフェース等を含むコンピュータにより構成され、操作部１１の操作に応じて、ＩＱデータ記憶部２１、シーケンス記憶部２２及び試験実行部２３を制御し、通信用デバイス１に対する測定を行わせる。
【００３４】
ＩＱデータ記憶部２１は、ベースバンド信号であるＩＱデータを記憶する。シーケンス記憶部２２は、シーケンス作成装置１０ａから出力された試験シーケンスを記憶する。試験実行部２３は、シーケンス記憶部２２に記憶されている試験シーケンスに従って、ベースバンド信号の含まれている送信フレームを通信用デバイス１に送信し、通信用デバイス１の生成するＲＦ信号を受信して、通信用デバイス１の試験を実行する。例えば、試験実行部２３は、ＲＦＩＣ制御信号、ＳｙｓＣｌｋ信号、ＳｙｓＣｌｋＥｎ信号などの通信用デバイス１の入出力信号を解析する。また、試験実行部２３は、ＩＱデータ記憶部２１に記憶されているＩＱデータをベースバンド信号として通信用デバイス１に送信し、ＲＦＩＣステータス情報、ＩＱレベル、ＥＶＭ（Ｅｒｒｏｒ  Ｖｅｃｔｏｒ  Ｍａｇｎｉｔｕｄｅ）、Ｓ／Ｎ比、ＢＥＲ（Ｂｉｔ  Ｅｒｒｏｒ  Ｒａｔｅ）、トランジェント観測など、通信用デバイス１の送信するＲＦ信号の品質の解析を行う。
【００３５】
言い換えると、試験装置２０は、ＢＢＩＣの動作を模擬する疑似ＢＢＩＣとして動作し、通信用デバイス１との間で、ＤｉｇＲＦ  Ｖｅｒ．４通信Ｉ／Ｆ規格に従った通信や制御を行なう。それと共に、試験装置２０は、基地局の動作を模擬する疑似基地局として動作し、通信用デバイス１との間で、ＬＴＥ通信規格に従ったＲＦ信号を送受する。そして、これらの動作の中で、通信用デバイス１の試験を実施する。
【００３６】
シーケンス作成装置１０ａの詳細について、図２及び図３を参照しながら図１を用いて説明する。シーケンス作成装置１０ａは、送信フレームで送信するベースバンド信号のデータレートが通信用デバイス１の受信するベースバンド信号のサンプリングレート内であるか否かを事前に判定することを特徴とする。図２は、送信フレームの第１の構成例である。図３は、送信フレームの第２の構成例である。図２に示す送信フレーム９１では送信フレーム９１で送信するベースバンド信号のデータレートが通信用デバイス１のサンプリングレート内であるが、図３に示す送信フレーム９２ではサンプリングレート外である。
【００３７】
図１に示す操作部１１に、試験シーケンスの実行に必要な事項が入力される。操作部１１は、図示しない多数のキー、ダイヤルおよび外部接続可能なキーボード、あるいはマウス等のように時間表示部１６ａの画面上に表示したボタンをカーソルで選択するためのポインティングデバイスを含んでおり、シーケンス作成部１２により操作が検知される。
【００３８】
試験シーケンスの実行に必要な事項は、例えば、フレーム送信時間算出部１３ａ及びフレーム受信時間算出部１４ａでの算出に必要な事項である。例えば、試験実行部２３が送信する送信フレームに含まれるベースバンド信号のデータ量であり、図２に示すペイロード５４ｂに載せられるベースバンド信号のＩＱデータのペア数（２０ペア）及びＩＱデータのデータ量（１２ｂｉｔ）である。また、図２に示すベースバンド信号のサンプリングレート（３０．７２ＭＨｚ）である。このサンプリングレートは、例えば通信用デバイス１が準拠する規格で定まり、規格が第３．９世代のＬＴＥの場合は３０．７２ＭＨｚである。
【００３９】
図２に示す送信フレーム９１の送信データレート（１．２４８Ｇｂｐｓ）、プリペア５１のデータ量（４０ｂｉｔ）、同期パターン５２のデータ量（５０ｂｉｔ）、ヘッダ５４ａのデータ量（８ｂｉｔ）、ＣＲＣ（Ｃｙｃｌｉｃ  Ｒｅｄｕｎｄａｎｃｙ  Ｃｈｅｃｋ）５４ｃのデータ量（１６ｂｉｔ）、ＳＯＦ（Ｓｔａｒｔ  Ｏｆ  Ｆｒａｍｅ）５３のデータ量（１０ｂｉｔ）、ＥＯＴ（Ｅｎｄ  Ｏｆ  Ｔｒａｎｓｍｉｓｓｉｏｎ）５５のデータ量（１０ｂｉｔ）についても、操作部１１から入力してもよい。ヘッダ５４ａのデータ量、ＣＲＣ５４ｃのデータ量、ＳＯＦ５３のデータ量、ＥＯＴ５５のデータ量などの変更する必要のない事項については、フレーム送信時間算出部１３ａに予め格納されていることが好ましい。なお、図２及び図３では、一例として、送信フレーム９１及び９２がシングルフレーム構成である場合を示したが、これに限られるものではなく、マルチフレーム構成であってもよい。
【００４０】
図１に示すシーケンス作成部１２は、操作部１１に入力された試験シーケンスの実行に必要な事項を検知し、試験実行部２３に特定の試験を行わせるための試験シーケンスを記述して作成する。
【００４１】
図１に示すフレーム送信時間算出部１３ａは、試験実行部２３が送信する送信フレームに含まれるベースバンド信号のデータ量を取得し、取得したデータ量を用いて送信フレーム全体での総データ量を算出し、総データ量及び試験実行部２３からの送信フレームの送信データレートを用いて、試験実行部２３が送信フレームを送信する時間を図２及び図３に示すフレーム送信時間Ａとして算出する。そして、算出したフレーム送信時間Ａを時間比較部１５ａに出力する。
【００４２】
図１に示すフレーム受信時間算出部１４ａは、試験実行部２３が送信する送信フレームに含まれるベースバンド信号のデータ量及び通信用デバイス１の受信するベースバンド信号のサンプリングレートを取得し、取得したデータ量及びサンプリングレートを用いて、通信用デバイス１がベースバンド信号を受信する時間を図２及び図３に示すフレーム受信時間Ｂとして算出する。そして、算出したフレーム受信時間Ｂを時間比較部１５ａに出力する。
【００４３】
図１に示す時間比較部１５ａは、フレーム送信時間算出部１３ａ及びフレーム受信時間算出部１４ａのそれぞれからフレーム送信時間（図２及び図３に示す符号Ａ）及びフレーム受信時間（図２及び図３に示す符号Ｂ）を取得する。そして、時間比較部１５ａは、フレーム送信時間（図２及び図３に示す符号Ａ）がフレーム受信時間（図２及び図３に示す符号Ｂ）以内であるか否かを判定する。
【００４４】
時間表示部１６ａは、時間比較部１５ａの判定結果を表示する。時間表示部１６ａは、波形等の画像表示が可能な表示器（ＬＣＤ、ＣＲＴ）であり、シーケンス作成装置１０ａの筐体に一体的に設けられているものの他に、外部接続可能なものであってもよい。
【００４５】
ここで、時間比較部１５ａは、フレーム送信時間（図２及び図３に示す符号Ａ）とフレーム受信時間（図２及び図３に示す符号Ｂ）との比を算出し、時間表示部１６ａは時間比較部１５ａの算出する比を表示することが好ましい。このとき、時間表示部１６ａは、時間比較部１５ａの算出する比をグラフで表示することが好ましい。
【００４６】
図４は、時間表示部１６ａでの表示例であり、（ａ）は送信フレームの第１の構成例の場合を示し、（ｂ）は送信フレームの第２の構成例の場合を示す。図２に示す送信フレーム９１の構成の場合、フレーム送信時間Ａをフレーム受信時間Ｂで除算すると略９１％となる。この場合、図４（ａ）に示すように、グラフで９１％を表示する。図３に示す送信フレーム９２の構成の場合、フレーム送信時間Ａをフレーム受信時間Ｂで除算すると略１０８％となる。この場合、図４（ｂ）に示すように、グラフで１０８％を表示する。このように、フレーム送信時間Ａとフレーム受信時間Ｂとの比をグラフ表示することで、移動体通信用デバイス試験システムのユーザは、送信フレームが通信用デバイス１のサンプリングレート内であるか否かを直感的に把握することができる。
【００４７】
図５は、本実施形態に係る移動体通信用デバイス試験方法の一例を示すフローチャートである。本実施形態に係る移動体通信用デバイス試験方法は、取得手順Ｓ１０１と、算出手順Ｓ１０２と、比較手順Ｓ１０３と、時間表示手順Ｓ１０４と、シーケンス確定手順Ｓ１０５と、シーケンス記憶手順Ｓ１０６と、試験実行手順Ｓ１０７と、シーケンス更新手順Ｓ１１１とを有し、通信用デバイス１の試験を行う。本実施形態に係る時間比較手順では、算出手順Ｓ１０２及び比較手順Ｓ１０３を実行する。
【００４８】
取得手順Ｓ１０１では、操作部１１に試験シーケンスの実行に必要な事項が入力される。例えば、移動体通信用デバイス試験システムのユーザがキーボードから入力する。そして、シーケンス作成部１２で試験シーケンスが記述される。これにより、仮の試験シーケンスが作成される。また、操作部１１への入力は、ユーザの入力に限らない。例えば、ＩＱデータ記憶部２１は、試験装置２０の外部から、試験実行手順Ｓ１０７で送信する送信フレームに含まれるベースバンド信号を取得して記憶する。そして、ＩＱデータ記憶部２１に記憶されているベースバンド信号のデータ量が操作部１１に入力される。このほか、フレーム受信時間算出手順Ｓ１０２ｂで使用するサンプリングレートなど、必要に応じて各手順で使用するパラメータが設定される。
【００４９】
算出手順Ｓ１０２では、フレーム送信時間算出部１３ａがフレーム送信時間算出手順Ｓ１０２ａを実行するとともに、フレーム受信時間算出部１４ａがフレーム受信時間算出手順Ｓ１０２ｂを実行する。フレーム送信時間算出手順Ｓ１０２ａでは、フレーム送信時間算出部１３ａが、フレーム送信時間（図２及び図３に示す符号Ａ）を算出する。フレーム受信時間算出手順Ｓ１０２ｂでは、フレーム受信時間算出部１４ａが、フレーム受信時間（図２及び図３に示す符号Ｂ）を算出する。
【００５０】
比較手順Ｓ１０３では、時間比較部１５ａが、フレーム送信時間Ａがフレーム受信時間Ｂ以内であるか否かを判定する。これにより、送信フレーム（図２に示す符号９１及び図３に示す符号９２）が通信用デバイス１のサンプリングレート内であるか否かを判定することができる。
【００５１】
例えば、図２に示す送信フレーム９１のようにフレーム送信時間Ａがフレーム受信時間Ｂ以内である場合、通信用デバイス１は、送信フレーム９１に含まれているベースバンド信号で変調したＲＦ信号を生成することができる。一方、図３に示す送信フレーム９２のようにフレーム送信時間Ａがフレーム受信時間Ｂよりも長い場合、通信用デバイス１は、送信フレーム９２に含まれているベースバンド信号で変調したＲＦ信号を生成することができない。
【００５２】
つまり、通信用デバイス１は、ＬＴＥ通信規格に従って基地局に送信するＲＦ信号を生成するために、必要な時間内に必要な送信データを、疑似ＢＢＩＣである試験装置２０から受け取らねばならない。そして、図２に示すような状態では、通信用デバイス１は、必要な時間内に必要な送信データを受け取ることができるので、ＲＦ信号を生成できる。しかし、図３に示すような状態では、通信用デバイス１は、必要な時間内に必要な送信データを受け取ることができないので、ＲＦ信号を生成できない。
【００５３】
また、比較手順Ｓ１０３では、時間比較部１５ａが、フレーム送信時間Ａとフレーム受信時間Ｂとの比を算出することが好ましい。これにより、時間表示手順Ｓ１０４において、時間表示部１６ａは、フレーム送信時間Ａとフレーム受信時間Ｂとの比をグラフで表示することができる。
【００５４】
時間表示手順Ｓ１０４では、時間表示部１６ａが、比較手順Ｓ１０３での判定結果を表示する。ここで、時間表示部１６ａは、図４に示すように、時間比較部１５ａの算出する比を表示することが好ましい。特に、時間表示手順Ｓ１０４では、比較手順Ｓ１０３で算出した比をグラフで表示することが好ましい。これにより、送信フレーム（図２に示す符号９１及び図３に示す符号９２）が通信用デバイス１のサンプリングレート内であるか否かを、移動体通信用デバイス試験システムのユーザは直感的に把握することができる。
【００５５】
シーケンス確定手順Ｓ１０５では、試験シーケンスを確定するかどうか決定する。決定は、例えば、移動体通信用デバイス試験システムのユーザが、時間表示部１６ａに表示された判定結果に基づいて行う。決定は、比較手順Ｓ１０３での判定結果に基づいて自動で行ってもよい。時間表示部１６ａに表示された判定結果に基づいて、試験シーケンスを確定してよければシーケンス記憶手順Ｓ１０６に移行し、試験シーケンスを確定しない場合はシーケンス更新手順Ｓ１１１に移行する。
【００５６】
例えば、図４（ａ）に示すように、送信フレームが通信用デバイス１のサンプリングレート内である場合、試験シーケンスを確定する旨決定する。図４（ｂ）に示すように、送信フレームが通信用デバイス１のサンプリングレート外である場合、試験シーケンスを確定しない旨決定する。通信用デバイス１のサンプリングレート外である送信フレームを送信する場合、通信用デバイス１のサンプリングレート外であるまま試験シーケンスを確定する旨決定してもよい。
【００５７】
通信用デバイス１の試験では、信号を正常に受けた場合の動作を検証するだけでなく、異常時の動作についても検証する必要がある。このため、サンプリングレート外である送信フレームを送信することは、通信用デバイス１の試験で重要なことである。そして、そのような試験を行なう際は、送信フレームについて、サンプリングレートをどの程度超過しているのか（あるいはどの程度マージンがあるのか）をユーザが把握できることが望ましい。本実施形態の移動体通信用デバイス試験システム３０ａでは、前述のように比を表示しているので、超過やマージンの程度について、ユーザが容易に把握できるようになっている。
【００５８】
シーケンス更新手順Ｓ１１１では、移動体通信用デバイス試験システムのユーザが、操作部１１を操作して、送信フレームのパラメータ設定値を変更し、シーケンス作成部１２の保有する試験シーケンスを更新する。
【００５９】
図６に、送信フレームのパラメータ設定値の一例を示す。図２及び図３に示した例では、高速１倍Ｐｒｉｍａｒｙモードで行っている。図３に示す送信フレーム９２のように、送信フレームが通信用デバイスのサンプリングレート外である場合、図１に示す移動体通信用デバイス試験システムのユーザは、例えば、高速２倍Ｐｒｉｍａｒｙモードに切り替える。これにより、移動体通信用デバイス試験システムのユーザは、試験実行部２３からの送信フレームを通信用デバイスのサンプリングレート内であるか否かを確認することができる。
【００６０】
送信フレームのパラメータ設定値の変更では、送信フレームの構成を変更してもよい。例えば、マルチモードをシングルモードにしたり、シングルモードをマルチモードにしたりする。図７は、送信フレームの構成例であり、（ａ）は高速モードでのシングルフレーム構成を示し、（ｂ）は高速モードでのマルチフレーム構成を示し、（ｃ）は低速モードでのシングルフレーム構成を示し、（ｄ）は低速モードでのマルチフレーム構成を示す。図７（ｂ）に示す送信フレームの構成のときに、フレーム送信時間がフレーム受信時間よりも長い場合、送信フレームの構成を図７（ａ）に示すシングルフレーム構成に変更することで、フレーム送信時間をフレーム受信時間以下にすることができる。また、図７（ａ）に示す送信フレームの構成のときに、フレーム送信時間がフレーム受信時間よりも十分に長い場合、フレーム送信時間をフレーム受信時間以下に保ったまま、送信フレームの構成を図７（ｂ）に示すマルチフレーム構成に変更することができる。
【００６１】
そして、取得手順Ｓ１０１からシーケンス確定手順Ｓ１０５までの手順を繰り返し、シーケンス確定手順Ｓ１０５で試験シーケンスを確定し、シーケンス記憶手順Ｓ１０６に移行する。
【００６２】
シーケンス記憶手順Ｓ１０６では、シーケンス作成部１２が、シーケンス確定手順Ｓ１０５で確定した試験シーケンスをシーケンス記憶部２２に出力する。そして、シーケンス記憶部２２が、試験シーケンスを記憶する。ＩＱデータ記憶部２１は、取得手順Ｓ１０１のときにベースバンド信号を取得して記憶してもよいが、このときにベースバンド信号を取得して記憶してもよい。
【００６３】
試験実行手順Ｓ１０７では、試験実行部２３が、ベースバンド信号の含まれている送信フレームを通信用デバイス１に送信し、通信用デバイス１の生成するＲＦ信号を受信して、通信用デバイス１の試験を実行する。例えば、試験実行部２３が、試験シーケンスに従い、通信用デバイス１を制御し、通信用デバイス１にＩＱデータを送信し、通信用デバイス１からのＲＦ信号を受信して解析を行う。このとき、通信用デバイス１に試験用ＲＦ信号を送信して、通信用デバイス１からのデジタルベースバンド信号を受信して解析してもよい。
【００６４】
図２に示す送信フレーム９１のフレーム送信時間Ａの算出例について説明する。試験実行部（図１に示す符号２３）が送信する送信フレーム９１に含まれるベースバンド信号のデータ量が２０ペアのＩＱデータであり、ＩＱデータのデータ量が１２ｂｉｔであるとする。このとき、ペイロード５４ｂのデータ量は２０×１２×２＝４８０ｂｉｔである。ヘッダ５４ａのデータ量が８ｂｉｔ、ＣＲＣ５４ｃのデータ量が１６ｂｉｔであれば、総データ量は５０４ｂｉｔとなる。これを８ｂｉｔ／１０ｂｉｔ変換すると、データ量は６３０ｂｉｔとなる。これに、プリペア５１のデータ量（４０ｂｉｔ）、同期パターン５２のデータ量（５０ｂｉｔ）、ＥＯＴ（又はＥＯＦ）５５のデータ量（１０ｂｉｔ）を加算すると、送信フレーム９１全体での総データ量（７４０ｂｉｔ）が算出できる。
【００６５】
試験実行部（図１に示す符号２３）から送信する送信フレーム９１の送信データレートが１．２４８Ｇｂｐｓである場合、試験実行部（図１に示す符号２３）が送信フレーム９１を送信する時間は、７４０ｂｉｔ／１．２４８Ｇｂｐｓ＝５９３．０ｎｓとなる。これにより、フレーム送信時間Ａ＝５９３．０ｎｓを算出することができる。
【００６６】
図２に示す送信フレーム９１におけるフレーム受信時間Ｂの算出例について説明する。試験実行部（図１に示す符号２３）から送信する送信フレーム９１に含まれるベースバンド信号のデータ量が２０ペアのＩＱデータであり、通信用デバイス（図１に示す符号１）の受信するベースバンド信号のサンプリングレートが３０．７２ＭＨｚであるとする。このとき、通信用デバイス（図１に示す符号１）が１つの送信フレーム９１の受信を完了しなければならない時間は、２０ペア／３０．７２ＭＨｚ＝６５１．０ｎｓとなる。これにより、フレーム受信時間Ｂ＝６５１．０ｎｓを算出することができる。
【００６７】
図３に示す送信フレーム９２におけるフレーム送信時間Ａの算出例について説明する。試験実行部（図１に示す符号２３）が送信する送信フレーム９２に含まれるベースバンド信号のデータ量が１０ペアのＩＱデータであり、ＩＱデータのデータ量が１２ｂｉｔであるとする。このとき、ペイロード５４ｂのデータ量は１０×１２×２＝２４０ｂｉｔである。ヘッダ５４ａのデータ量が８ｂｉｔ、ＣＲＣ５４ｃのデータ量が１６ｂｉｔであれば、総データ量は２６４ｂｉｔとなる。これを８ｂｉｔ／１０ｂｉｔ変換すると、データ量は３３０ｂｉｔとなる。これに、プリペア５１のデータ量（４０ｂｉｔ）、同期パターン５２のデータ量（５０ｂｉｔ）、ＥＯＴ（又はＥＯＦ）５５のデータ量（１０ｂｉｔ）を加算すると、送信フレーム９２全体での総データ量（４４０ｂｉｔ）が算出できる。
【００６８】
試験実行部（図１に示す符号２３）が送信する送信フレーム９２の送信データレートは１．２４８Ｇｂｐｓである場合、試験実行部（図１に示す符号２３）が送信フレーム９２を送信する時間は、４４０ｂｉｔ／１．２４８Ｇｂｐｓ＝３５２．６ｎｓとなる。これにより、フレーム送信時間Ａ＝３５２．６ｎｓを算出することができる。
【００６９】
図３に示す送信フレーム９２におけるフレーム受信時間Ｂの算出例について説明する。試験実行部（図１に示す符号２３）が送信する送信フレーム９２に含まれるベースバンド信号のデータ量が１０ペアのＩＱデータであり、通信用デバイス（図１に示す符号１）の受信するベースバンド信号のサンプリングレートが３０．７２ＭＨｚであるとする。このとき、通信用デバイス（図１に示す符号１）が１つの送信フレーム９２の受信を完了しなければならない時間は、１０ペア／３０．７２ＭＨｚ＝３２５．５ｎｓとなる。これにより、フレーム受信時間Ｂ＝３２５．５ｎｓを算出することができる。
【００７０】
（実施形態２）
図８は、本実施形態に係る移動体通信用デバイス試験システムの概略構成図である。本実施形態に係る移動体通信用デバイス試験システム３０ｂは、実施形態１に係るシーケンス作成装置１０ａに代えてシーケンス作成装置１０ｂを備える。シーケンス作成装置１０ｂは、シーケンス作成装置１０ａの備えるフレーム送信時間算出部１３ａ、フレーム受信時間算出部１４ａ、時間比較部１５ａ及び時間表示部１６ａに代えて、送信フレーム数算出部１３ｂ、受信フレーム数算出部１４ｂ、フレーム数比較部１５ｂ及びフレーム数表示部１６ｂを備える。以下、送信フレーム数算出部１３ｂ、受信フレーム数算出部１４ｂ、フレーム数比較部１５ｂ及びフレーム数表示部１６ｂの詳細について、図２及び図３を参照しながら図８を用いて説明する。
【００７１】
図８に示す送信フレーム数算出部１３ｂは、実施形態１で説明したフレーム送信時間Ａに代えて、送信フレーム数Ａを算出する。すなわち、送信フレーム数算出部１３ｂは、試験実行部２３が送信する送信フレームに含まれるベースバンド信号のデータ量を取得し、取得したデータ量を用いて送信フレーム全体での総データ量を算出し、総データ量及び試験実行部２３からの送信フレームの送信データレートを用いて、試験実行部２３が送信フレームを送信する単位時間当たりの送信フレームの数を送信フレーム数Ａとして算出する。
【００７２】
例えば、図２に示す送信フレーム９１の場合、実施形態１と同様に送信フレーム９１全体での総データ量（７４０ｂｉｔ）を算出する。試験実行部（図１に示す符号２３）が送信する送信フレーム９１の送信データレートは１．２４８Ｇｂｐｓであるので、試験実行部（図１に示す符号２３）が送信フレーム９１を送信する単位時間当たりの送信フレーム９１の数は、１．２４８Ｇｂｐｓ／７４０ｂｉｔ＝１．６８７Ｍフレーム／ｓとなる。これにより、送信フレーム数Ａ＝１．６８７Ｍフレーム／ｓを算出することができる。
【００７３】
例えば、図３に示す送信フレーム９２の場合、実施形態１と同様に送信フレーム９２全体での総データ量（４４０ｂｉｔ）を算出する。試験実行部（図１に示す符号２３）が送信する送信フレーム９２の送信データレートは１．２４８Ｇｂｐｓであるので、試験実行部（図１に示す符号２３）が送信フレーム９２を送信する単位時間当たりの送信フレーム９２の数は、１．２４８Ｇｂｐｓ／４４０ｂｉｔ＝２．８３６Ｍフレーム／ｓとなる。これにより、送信フレーム数Ａ＝２．８３６Ｍフレーム／ｓを算出することができる。
【００７４】
受信フレーム数算出部１４ｂは、実施形態１で説明したフレーム受信時間Ｂに代えて、受信フレーム数Ｂを算出する。すなわち、受信フレーム数算出部１４ｂは、試験実行部２３が送信する送信フレームに含まれるベースバンド信号のデータ量及び通信用デバイス１の受信するベースバンド信号のサンプリングレートを取得し、データ量及びサンプリングレートを用いて、通信用デバイス１がベースバンド信号を受信する単位時間当たりの送信フレームの数を受信フレーム数Ｂとして算出する。
【００７５】
例えば、図２に示す送信フレーム９１の場合、実施形態１と同様に、試験実行部（図１に示す符号２３）が送信する送信フレーム９１に含まれるベースバンド信号のデータ量が２０ペアのＩＱデータであり、通信用デバイス（図１に示す符号１）の受信するベースバンド信号のサンプリングレートが３０．７２ＭＨｚであるとする。このとき、通信用デバイス（図１に示す符号１）が１つの送信フレーム９１に含まれるベースバンド信号の受信を完了しなければならない単位時間当たりの送信フレーム９１の数は、３０．７２ＭＨｚ／２０ペア＝１．５３６Ｍフレーム／ｓとなる。これにより、受信フレーム数Ｂ＝１．５３６Ｍフレーム／ｓを算出することができる。
【００７６】
例えば、図３に示す送信フレーム９２の場合、実施形態１と同様に、試験実行部（図１に示す符号２３）が送信する送信フレーム９２に含まれるベースバンド信号のデータ量が１０ペアのＩＱデータであり、通信用デバイス（図１に示す符号１）の受信するベースバンド信号のサンプリングレートが３０．７２ＭＨｚであるとする。このとき、通信用デバイス（図１に示す符号１）が１つの送信フレーム９２に含まれるベースバンド信号の受信を完了しなければならない単位時間当たりの送信フレーム９２の数は、３０．７２ＭＨｚ／１０ペア＝３．０７２Ｍフレーム／ｓとなる。これにより、受信フレーム数Ｂ＝３．０７２Ｍフレーム／ｓを算出することができる。
【００７７】
フレーム数比較部１５ｂは、送信フレーム数Ａが受信フレーム数Ｂ以上であるか否かを判定する。フレーム数表示部１６ｂは、フレーム数比較部１５ｂの判定結果を表示する。ここで、フレーム数比較部１５ｂは送信フレーム数Ａと受信フレーム数Ｂとの比を算出し、フレーム数表示部１６ｂはフレーム数比較部１５ｂの算出する比を表示することが好ましい。このとき、フレーム数表示部１６ｂは、フレーム数比較部１５ｂの算出する比をグラフで表示することが好ましい。
【００７８】
フレーム数表示部１６ｂでは、図４に示す表示例が、送信フレーム数Ａと受信フレーム数Ｂとの比となる。例えば、図２に示す送信フレームの構成の場合、受信フレーム数Ｂを送信フレーム数Ａで除算すると略９１％となる。図３に示す送信フレームの構成の場合、受信フレーム数Ｂを送信フレーム数Ａで除算すると略１０８％となる。このように、送信フレーム数Ａと受信フレーム数Ｂとの比をグラフ表示することで、移動体通信用デバイス試験システムのユーザは、送信フレームが通信用デバイス１のサンプリングレート内であるか否かを直感的に把握することができる。
【００７９】
図２に示す送信フレーム９１のように送信フレーム数Ａが受信フレーム数Ｂ以上である場合、通信用デバイス１は、送信フレーム９１に含まれているベースバンド信号で変調したＲＦ信号を生成することができる。一方、図３に示す送信フレーム９２のように送信フレーム数Ａが受信フレーム数Ｂ未満である場合、通信用デバイス１は、送信フレーム９２に含まれているベースバンド信号で変調したＲＦ信号を生成することができない。
【００８０】
図９は、本実施形態に係る移動体通信用デバイス試験方法の一例を示すフローチャートである。本実施形態に係る移動体通信用デバイス試験方法は、実施形態１で説明した時間比較手順に代えてフレーム数比較手順を有し、時間表示手順Ｓ１０４に代えてフレーム数表示手順Ｓ１１４を有する。フレーム数比較手順では、算出手順Ｓ１１２及び比較手順Ｓ１１３を実行する。
【００８１】
算出手順Ｓ１１２では、送信フレーム数算出部１３ｂが送信フレーム数算出手順Ｓ１１２ａを実行するとともに、受信フレーム数算出部１４ｂが受信フレーム数算出手順Ｓ１１２ｂを実行する。送信フレーム数算出手順Ｓ１１２ａでは、送信フレーム数算出部１３ｂが、送信フレーム数（図２及び図３に示す符号Ａ）を算出する。受信フレーム数算出手順Ｓ１１２ｂでは、受信フレーム数算出部１４ｂが、受信フレーム数（図２及び図３に示す符号Ｂ）を算出する。
【００８２】
比較手順Ｓ１１３では、フレーム数比較部１５ｂが、送信フレーム数（図２及び図３に示す符号Ａ）が受信フレーム数（図２及び図３に示す符号Ｂ）以上であるか否かを判定する。これにより、送信フレームが通信用デバイス１のサンプリングレート内であるか否かを判定することができる。
【００８３】
例えば、図２に示す送信フレーム９１のように送信フレーム数Ａが受信フレーム数Ｂ以上である場合、通信用デバイス１は、送信フレーム９１に含まれているベースバンド信号で変調したＲＦ信号を生成することができる。一方、図３に示す送信フレーム９２のように送信フレーム数Ａが受信フレーム数Ｂ以上である場合、通信用デバイス１は、送信フレーム９２に含まれているベースバンド信号で変調したＲＦ信号を生成することができない。
【００８４】
フレーム数表示手順Ｓ１１４では、フレーム数表示部１６ｂが、比較手順Ｓ１１３での判定結果を表示する。ここで、フレーム数表示部１６ｂは、図４に示すように、フレーム数比較部１５ｂの算出する比を表示することが好ましい。特に、フレーム数表示手順Ｓ１１４では、比較手順Ｓ１１３で算出した比をグラフで表示することが好ましい。これにより、送信フレームが通信用デバイス１のサンプリングレート内であるか否かについて、移動体通信用デバイス試験システムのユーザが直感的に把握することができる。
【産業上の利用可能性】
【００８５】
本発明は、ＬＴＥに準拠するＲＦＩＣの試験を行うことができるので、情報通信産業に適用することができる。
【符号の説明】
【００８６】
１：通信用デバイス
１０ａ、１０ｂ：シーケンス作成装置
１１：操作部
１２：シーケンス作成部
１３ａ：フレーム送信時間算出部
１３ｂ：送信フレーム数時間算出部
１４ａ：フレーム受信時間算出部
１４ｂ：受信フレーム数時間算出部
１５ａ：時間比較部
１５ｂ：フレーム数比較部
１６ａ：時間表示部
１６ｂ：フレーム数表示部
２０：試験装置
２１：ＩＱデータ記憶部
２２：シーケンス記憶部
２３：試験実行部
３０ａ、３０ｂ：移動体通信用デバイス試験システム
５１：プリペア
５２：同期パターン
５３：ＳＯＦ
５４ａ：ヘッダ
５４ｂ：ペイロード
５４ｃ：ＣＲＣ
５５：ＥＯＴ
９１、９２：送信フレーム
【図１】
2010239252.tif 000003
【図２】
2010239252.tif 000004
【図３】
2010239252.tif 000005
【図４】
2010239252.tif 000006
【図５】
2010239252.tif 000007
【図６】
2010239252.tif 000008
【図７】
2010239252.tif 000009
【図８】
2010239252.tif 000010
【図９】
2010239252.tif 000011